(57)【要約】【課題】天板に操作部を設けた組込式ガスコンロで汎用性があり、煮こぼれの影響を受けにくく、電池の視認性や着脱が容易な電池ケースを有するガスコンロを提供すること。【解決手段】コンロ本体底面に乾電池６の着脱方向をコンロ本体底面と水平に構成した電池ケース１７をケース孔１４によりビス２１で固定し、前記コンロ本体底面には複数個の取付部を有し、前記電池ケース１７には上方面および側面にケース孔１とケース孔２それぞれを設け取付位置や方向に汎用性を持たせたガスコンロである。【選択図】図１
2006057899.tif 000002
【特許請求の範囲】
【請求項１】
本体ケースと、前記本体ケースの上部を覆う天板と、前記本体ケース内に設け、かつ前記天板上に臨ましたバーナと、前記天板の上面における周辺部にバーナの点火ー消火および火力調節を行う操作部を設け、本体ケースの底面に乾電池ケースを設けてなるガスコンロ。
【請求項２】
乾電池ケースは乾電池の着脱方向をコンロ機器底面と水平方向に構成した請求項１記載のガスコンロ。
【請求項３】
乾電池ケースの上面、及び側面に固定用の孔を設けた請求項１または２記載のガスコンロ。
【請求項４】
乾電池ケースの上面に係止片を設け、本体ケース底面に孔を設け、本体ケース底面の孔に電池ケースの係止片を勘合させてなる請求項１〜３のいずれか１項記載のガスコンロ。
【請求項５】
本体ケース底面には複数個の電池ケース装着部を設けてなる請求項１〜４のいずれか１項記載のガスコンロ。
【発明の詳細な説明】
【技術分野】
【０００１】
本発明は、キッチンカウンターキャビネットに組み込んで使用する組込式ガスコンロに関し、特にバーナの点火や燃焼制御を行うために必要な電源を供給する乾電池の収納方法に係るものである。
【背景技術】
【０００２】
従来、魚焼グリル付組込式ガスコンロは、一般に図７に示すように加熱手段となるバーナ４の点火ー消火（以下ＯＮ−ＯＦＦという）および火力調節は、器具本体であるコンロ本体の略垂直な前側面１６に設けた操作部７で行っている。この垂直な前側面１６には燃焼制御や点火に必要な電力を供給するための乾電池６を引き出し方式に構成した電池ケース１７を利用して収納している。この乾電池６の交換は器具前面より簡単に行うことができた（例えば、特許文献１参照）。
【特許文献１】特開平１０−１３２２８０号公報
【発明の開示】
【発明が解決しようとする課題】
【０００３】
しかしながら、上記従来の構成では、近年、図６に示すように魚焼グリル８を必要としないユーザーやコンロ下部のスペースをキッチン引き出し上９等のスペースに有効に活用したいとのニーズにより魚焼きグリル２０を搭載せず、また操作部７をコンロ本体の天板２上に設けたコンロが増えてきており、この構成によると本体ケース１はキッチンカウンター６やキッチン引き出し上９に格納されてしまうため、前記略垂直な前側面１６がなくなってしまい電池ケース１７の適当な収納場所がない。また、電池ケース１７を本体ケース１に埋設した図６のような構成も考えられるが乾電池６着脱の為には機器下方に向けて電池ケース１７を設置する必要があり、乾電池６落下防止の為には電池蓋１８を設ける必要もあり、電池の位置の認識や±極性方向等の視認性を損なっていた。またキッチンメーカには様々なキャビネットバリエーションがあり、その仕様によっては例えばキッチン底板１０によりバーナ４やゴトク１９、操作部７を設けた天板２以外の部分はほとんどキャビネットに覆われた構成となり、使用者が電池交換や電池の場所の認識すら不可能となる場合もあった。
【０００４】
一方、電池ケース１７を上方に開放されている天板２上に設け、蓋等をつけて設置する構成も考えられるが天板２上には煮こぼれによる煮汁が頻繁に落ちるため、電池ケース部に煮汁が浸入し、故障に至る場合が考えられる。
【０００５】
本発明は上記従来の課題を解決するもので、略垂直な前側面を有さないコンロにおいて乾電池の視認性がよく乾電池の着脱が容易で煮こぼれ等の煮汁の影響を受けにくく、様々なキッチンメーカのキャビネットに対応可能な乾電池ケースを有する組込式ガスコンロを提供することにある。
【課題を解決するための手段】
【０００６】
前記課題を解決するために、本発明のガスコンロは、本体ケースと、前記本体ケースの上部を覆う天板と、前記本体ケース内に設け、かつ前記天板上に臨ましたバーナと、前記天板の上面における周辺部にバーナの点火ー消火および火力調節を行う操作部を設け、前記本体ケースの底面に乾電池ケースを設けたものである。
【０００７】
これによって、電池ケースが器具外部にあるためバーナの火炎による熱気が本体ケースで熱が遮断され冷却され、乾電池がバーナ等燃焼部の温度影響を受けない。また、煮汁の到達も本体ケースにより遮られ、絶縁不良による故障になりにくい。さらに、電池ケースや電池が器具底面に露出している為、使用者がキャビネットの引き出しを開放した場合に電池の位置や±極性方向の認識もしやすい。
【発明の効果】
【０００８】
電池ケースが器具外部にあるためバーナの火炎による熱気が本体ケースで熱が遮断され冷却され、乾電池がバーナ等燃焼部の温度影響を受けない。また、煮汁の到達も本体ケースにより遮られ、絶縁不良による故障になりにくい。さらに、電池ケースや電池が器具底面に露出している為、使用者がキャビネットの引き出しを開放した場合に電池の位置や±極性方向の認識もしやすい。
【発明を実施するための最良の形態】
【０００９】
第１の発明は、本体ケースと、前記本体ケースの上部を覆う天板と、前記本体ケース内に設け、かつ前記天板上に臨ましたバーナと、前記天板の上面における周辺部にバーナの点火ー消火および火力調節を行う操作部を設け、前記本体ケースの底面に乾電池ケースを設けたものである。
【００１０】
これによって、電池ケースが器具外部にあるためバーナの火炎による熱気が本体ケースで熱が遮断され冷却され、乾電池がバーナ等燃焼部の温度影響を受けない。また、煮汁の到達も本体ケースにより遮られ、絶縁不良による故障になりにくい。さらに、電池ケースや電池が器具底面に露出している為、使用者がキャビネットの引き出しを開放した場合に電池の位置や±極性方向の認識もしやすい。
【００１１】
第２の発明は、特に、第１の発明における乾電池ケースを乾電池の着脱方向をコンロ機器底面と水平方向に構成したことにより、乾電池は下方に落下することなく落下防止の為の蓋が不要となりコストダウンと、電池が使用者から直接見えることにより±極性の認識がしやすくなり誤装着による故障を回避することが可能となる。また、使用者が電池蓋がない為に容易に乾電池の交換が可能となる。
【００１２】
第３の発明は、特に、第１または第２の発明における乾電池ケースの上面、及び側面に固定用の孔を設けたことにより、コンロ機器底面に電池ケースの上面側の孔を使用して固定する方法と、電池ケース側面に設けた孔によりキッチンキャビネットの内側面にも電池ケースを取り付ける２つの取付方法を選択することが可能となり、本製品を各種メーカーの多種多様なキッチンバリエーションに設置可能に対応することができる。
【００１３】
第４の発明は、第１から第３の発明における乾電池ケースの上面に係止片を設け、本体ケース底面に孔を設け、本体ケース底面の孔に電池ケースの係止片を勘合させる構成のガスコンロである。本電池ケースはメーカーの製造現場で組み立てられる方法とコンロ機器をキッチンキャビネットに施工するとき後から取り付けられる２つの方法があるがいずれの場合においても機器本体にビス等により固定するわけだが機器底面に組み付ける為作業性が困難であるため本構成により電池ケースをコンロ機器底面に一時的に仮固定することが可能となり組立作業性や現場施工時作業性を大幅に改善することが可能となる。
【００１４】
第５の発明は、第１から第４の発明における電池ケースを本体ケース底面に複数個の装着部を設けたことにより例えば機器左後方奥や、機器左手前等に電池ケースを設置でき、本製品を各種メーカーの多種多様なキッチンバリエーションに設置可能に対応することが可能となる。
【００１５】
以下、本発明の実施の形態について、図面を参照して説明する。なお、本実施の形態によって本発明が限定されるものではない。
【００１６】
（実施の形態１）
図１は、本発明の実施の形態１における電池ケースの拡大図で、図２（ａ）は同組み込み式ガスコンロの上面図、（ｂ）は同正面断面図、（ｃ）は同側面断面図で、図３（ａ）は同実施の形態２における組込式ガスコンロの上面図、（ｂ）は同正面断面図、（ｃ）は同側面断面図で、図４（ａ）は同実施の形態３における組込式ガスコンロの上面図、（ｂ）は同正面断面図、（ｃ）は同側面断面図で、図５は組込式ガスコンロのガス流量制御部分のブロック図である。
【００１７】
図１〜図５において、機器コンロ本体は、箱状に成形された本体ケース１で構成し、上部を天板２で覆われている。そして、本体ケース１は、キッチンカウンター３の開口部に落し込んで組み込まれ、天板２はその外周縁を開口部の周縁部の上面に載置して設置されている。
【００１８】
ガスを燃料とするバーナ４は、一部が本体ケース３内に位置して天板２上に高く突き出ないように臨まして、天板２の手前側の左右と、この左右間の真中にあって後側にそれぞれ配置した３個が設けられている。この３個のバーナ４には、それぞれガス流量制御装置２３が配管され、各ガス流量制御装置２３を介してガスの供給と遮断、そしてガス流量の制御で火力調節が行われる。従って、図５では一つのバーナ４にガスを供給するガス流量制御部分を例にして説明する。
【００１９】
ガス流量制御装置２３は、複数の流量調節孔を設けたガス流量制御板と、これに相対抗して左右に移動しガス通路孔を有するスライド閉子により、ガス流量制御板の流量調節孔と前記ガス通路孔との重なり合う開口面積の変化で通過するガスの流量調節および供給と遮断を行う。スライド閉子はステッピングモータにより作動させ、ステッピングモータの回転をスラスト方向への運動に変換し、かつ単一の乾電池２個の乾電池６で回転するステッピングモータの回転力でも充分にスライド閉子を動かせるようにカム、ギア等の駆動力変換手段により増力される。
【００２０】
ステッピングモータによるスライド閉子の位置は常にエンコーダで検出されており、スライド閉子の位置異常やモーターの脱調などを検出することができる。ガス流量制御装置２３は本体ケース１内でバーナ４にガスを供給し易い位置に設けている。
【００２１】
ガス制御手段２２はマイクロコンピュータおよびその周辺回路で構成され、ガス流量制御装置２３とは別個に構成されて本体ケース１内に設ける。ガス制御手段２２は回路を駆動するための電力を得るため乾電池６に接続し、かつバーナ４のＯＮ−ＯＦＦおよび火力調節の指示を行うため、ガス流量制御装置２３のステッピングモータおよびエンコーダと接続している。
【００２２】
操作部７は、電気接点方式のスイッチで、タクトスイッチ、静電容量スイッチ等を採用して軽く触っても動作するソフトタッチ方式に構成し、３個のバーナ４にそれぞれ対応して設けたもので、ガス流量制御装置２３とは別個に形成したものである。
【００２３】
すなわち、操作部７は、ガス流量制御装置２３と別個に形成できるのは、ガス流量制御装置２３が乾電池６を電源にし、かつパルス信号により回転するステッピングモータにより作動されるスライド閉止とガス流量制御板、エンコーダで構成され、そしてガス制御手段２２の制御の指示で動作するものであるからで、ケーブルで操作部７をガス制御手段２２に電気的に接続するだけでバーナ４のＯＮ−ＯＦＦおよび火力調節の信号を送ることが可能になり、そして操作部７とガス制御手段２２には何ら機械的な接続の必要が無く、その相対位置に関して制約が無いためである。
【００２４】
従って、操作部７はガス流量制御装置２３、ガス制御手段２２の設置位置に左右されることなく別個にして、バーナ４の火炎による熱影響を避けられ、かつ操作性がよく、さらに操作前後の視認性がよくなるのを主として考慮し、天板２上の温度的に設置可能なバーナ４の熱影響の少ない天板２の上面における周辺部に設け、ガス制御手段２２とはケーブルを介して接続して、使用者の手の指が触れることでバーナ４のＯＮ−ＯＦＦおよび火力調節を行う信号をガス制御手段２２に送るものである。
【００２５】
また、操作部７を構成する点火消火操作部、火力調節操作部は表面を樹脂製のメンブレムにより覆われ、下部にはタクトスイッチを配置し、かつ操作部７の下側に配置したプリント基板（図示せず）で構成し、プリント基板にケーブルの一端が接続され、他端はガス流量制御装置２３のガス制御手段２２に接続されている。表示は操作部７である火力調節操作部の真上に近接して５段階の火力調節と点火消火の表示ができるようにＬＥＤを操作部７と並べて設けており、操作部７に使用者の指等が触れるのに連動して点灯、消灯できるようにケーブルを介してガス制御手段２２に伝達される。
【００２６】
上記実施の形態における組み込み式ガスコンロについて、以下その動作、作用を説明する。使用者は電源操作部を軽く押すと、乾電池６からの電力がガス制御手段２２に供給される。続いて、操作部７を押すと点火の信号がケーブルを介してガス制御手段２２に送られ、そしてガス制御手段２２により、放電点火手段が放電を始める。一方、ガス流量制御装置２３は、そのステッピングモータが駆動されてスライド閉止が移動してガスがバーナ４に供給され、放電を始めた放電点火手段により点火されバーナ４に火炎が形成される。
【００２７】
バーナ４の消火を行うときは、操作部７を再び押すことで消火の信号の伝達されたガス制御手段２２は、ステッピングモータを駆動してスライド閉止を閉じるとともに、表示部も消灯するものである。
【００２８】
このように本実施の形態では、バーナ４にガスの供給、遮断とガス流量の制御で火力調節を行うガス流量制御装置２３およびそのガス制御手段２２をコンロ本体の本体ケース１内に設置し、一方、操作部７はガス流量制御装置２３およびそのガス制御手段２２の設置位置に左右されることなく別個に設置できるので、バーナ４の火炎による熱影響を避け、操作性がよく、かつ操作前後における操作部の視認性のみを考慮して天板２上の温度的に設置可能な天板２の上面における周辺部に配置することが可能になる。
【００２９】
従って、使用者はキッチンカウンター３におけるガスコンロの天板２の手前に立った姿勢で操作部７を上から見ながら、手を出して上方より操作部７を操作でき、操作性、視認性を大幅に向上させることができる。
【００３０】
特に本実施の形態では、操作部７を天板２上に配置が可能となったことにより魚焼きグリルなしで機器の略垂直な前側面を有さない構成も可能となる。図２においてキッチンカウンター３に埋設された本体ケース１下方には魚焼グリルを廃止したことにより設けられたキッチン引き出し上９が設けられキッチン底板２１とで仕切られている。キッチンキャビネットはこのキッチンカウンター３及びキッチン裏板１１、キッチン引き出し上９で箱状に構成される。本体ケース１からは前記ガス流量制御装置２３にガスを供給するガス配管１２が本体ケース１の底面の一部に設けられる。キッチン底板２１は一般的に前記ガス配管１２に接触しないように構成される。図２（ｂ）（ｃ）において電池ケース１７は本体ケース１の左後方奥側に設置され、ケース孔１３により本体ケース１に設けられた底面孔１５にビス２１で固定される。
【産業上の利用可能性】
【００３１】
以上のように本発明は、ガスコンロに必須である乾電池の設置において天板の上面に操作部を配置した魚焼グリルなしの組込式ガスコンロの電池ケースの設置条件を改善する技術に適用できる。
【図面の簡単な説明】
【００３２】
【図１】本発明の実施の形態１における電池ケースの拡大図
【図２】（ａ）同実施の形態１における組込式ガスコンロの上面図（ｂ）同正面断面図（ｃ）側面断面図
【図３】（ａ）同実施の形態２における組込式ガスコンロの上面図（ｂ）同正面断面図（ｃ）側面断面図
【図４】（ａ）同実施の形態３における組込式ガスコンロの上面図（ｂ）同正面断面図（ｃ）側面断面図
【図５】組込式ガスコンロのガス流量制御部分のブロック図
【図６】従来の魚焼グリルなし組込式ガスコンロの概略断面図
【図７】従来の魚焼グリル付組込式ガスコンロの概略断面図
【符号の説明】
【００３３】
１  本体ケース
２  天板
４  バーナ
６  乾電池
７  操作部
１３  ケース孔１
１４  ケース孔２
１７  電池ケース
２０  係止片
２２  ガス制御手段
２３  ガス流量制御装置
【図１】
2006057899.tif 000003
【図２】
2006057899.tif 000004
【図３】
2006057899.tif 000005
【図４】
2006057899.tif 000006
【図５】
2006057899.tif 000007
【図６】
2006057899.tif 000008
【図７】
2006057899.tif 000009